(57)【要約】【課題】シートバック本体に対するクッション体の取り付けや取り外しが容易であっても、この取り付け位置の位置合わせを容易に行うことができる乗物用シートを提供すること。【解決手段】乗物用シート１は、シートバック本体３に設けられた一方側ファスナ部材１４ｂと、クッション体４に設けられた他方側ファスナ部材とを着装または脱着させてシートバック本体３にクッション体４を取り付けまたは取り外しできるように構成されている。クッション体４には、フック３４ａが組み付けられている。シートバック本体３には、フック３４ａを係合可能な開口１６ａまたは略コ字状の切欠溝を有する取付板１６が組み付けられている。一方側ファスナ部材１４ｂと他方側ファスナ部材３４ｂとは、フック３４ａを開口１６ａまたは略コ字状の切欠溝に係合させると、互いの着装位置となるようにシートバック本体３とクッション体４とに設けられている。【選択図】図２
2015145192.tif 000002
【特許請求の範囲】
【請求項１】
シートバック本体に面ファスナの一方側ファスナ部材が設けられ、
クッション体に面ファスナの他方側ファスナ部材が設けられ、
これら一方側ファスナ部材と他方側ファスナ部材とを着装または脱着させてシートバック本体にクッション体を取り付けまたは取り外しできる乗物用シートであって、
クッション体またはシートバック本体には、フックが組み付けられており、
シートバック本体またはクッション体には、フックを係合可能な開口または略コ字状の切欠溝を有する取付板が組み付けられており、
一方側ファスナ部材と他方側ファスナ部材とは、フックを開口または略コ字状の切欠溝に係合させると、互いの着装位置となるようにシートバック本体とクッション体とに設けられていることを特徴とする乗物用シート。
【発明の詳細な説明】
【技術分野】
【０００１】
本発明は、乗物用シートに関し、詳しくは、面ファスナを着装または脱着させてシートバック本体にクッション体を取り付けまたは取り外しできる乗物用シートに関する。
【背景技術】
【０００２】
従来、シートバックに組み付けられているクッション体として、例えば、着座者の後頭部から首筋にかけての部位を支持できるネックレストが既に知られている。ここで、下記特許文献１には、例えば、図１６に示すように、シートバック本体に設けられている面ファスナの一方側面ファスナ（いずれも図示しない）とクッション体であるネックレスト２０４に設けられている面ファスナ２３４ｂとを着装または脱着させてシートバック本体にネックレスト２０４を取り付けまたは取り外しできる乗物用シート（図示しない）が開示されている。これにより、ネックレスト２０４の取り付けや取り外しを容易に行うことができる。
【先行技術文献】
【特許文献】
【０００３】
【特許文献１】実用新案登録第３１３８２７４号公報
【発明の概要】
【発明が解決しようとする課題】
【０００４】
しかしながら、上述した特許文献１の技術では、単に、面ファスナ２３４ｂを着装させてシートバック本体にネックレスト２０４を取り付けている。そのため、正規の取り付け位置に対してズレた位置でネックレス２０４を取り付けてしまうことがあった。
【０００５】
本発明は、このような課題を解決しようとするもので、その目的は、シートバック本体に対するクッション体の取り付けや取り外しが容易であっても、この取り付け位置の位置合わせを容易に行うことができる乗物用シートを提供することである。
【課題を解決するための手段】
【０００６】
本発明は、上記の目的を達成するためのものであって、以下のように構成されている。
請求項１に記載の発明は、シートバック本体に面ファスナの一方側ファスナ部材が設けられ、クッション体に面ファスナの他方側ファスナ部材が設けられ、これら一方側ファスナ部材と他方側ファスナ部材とを着装または脱着させてシートバック本体にクッション体を取り付けまたは取り外しできる乗物用シートであって、クッション体またはシートバック本体には、フックが組み付けられており、シートバック本体またはクッション体には、フックを係合可能な開口または略コ字状の切欠溝を有する取付板が組み付けられており、一方側ファスナ部材と他方側ファスナ部材とは、フックを開口または略コ字状の切欠溝に係合させると、互いの着装位置となるようにシートバック本体とクッション体とに設けられていることを特徴とする構成である。
この構成によれば、例えば、クッション体のフックをシートバック本体の取付板の開口の縁に係合させると、それぞれのファスナが互いの着装位置に到達した状態となる。したがって、このフックの係合を行うと、これと同時に、それぞれの面ファスナの着装（取り付け）も行われ、シートバック本体にクッション体が取り付けられる。このように取り付けられると、従来技術と同様に、面ファスナを使用しているため、クッション体の取り付けや取り外しを容易に行うことができる。また、このように取り付けられると、クッション体のフックが取付板の開口の縁に係合している。したがって、取り付けたクッション体の高さ位置が決まるため、このクッション体の取り付けの位置合わせも容易に行うことができる。
【図面の簡単な説明】
【０００７】
【図１】実施例１に係る乗物用シートのシートバックの全体斜視図である。
【図２】図１の分解斜視図である。
【図３】図２を背面側から見た斜視図である。
【図４】図３のネックレストカバーの背面ピースの内部構造を説明する図である。
【図５】図３のネックレストの組み立ての工程を説明する図である。
【図６】図１におけるシートバックの横断面図である。
【図７】図２において、シートバック本体にネックレストを組み付ける前の状態を示す縦断面図である。
【図８】図７において、組み付け途中の状態を示す縦断面図である。
【図９】図８において、組み付け完了後の状態を示す縦断面図である。
【図１０】図１において、ネックレストを大きく上昇させた状態を示す図である。
【図１１】図１において、ネックレストを大きく下降させた状態を示す図である。
【図１２】実施例２に係る乗物用シートのシートバックの分解斜視図である。
【図１３】図１２において、シートバック本体にネックレストを組み付ける前の状態を示す縦断面図である。
【図１４】図１３において、組み付け途中の状態を示す縦断面図である。
【図１５】図１４において、組み付け完了後の状態を示す縦断面図である。
【図１６】従来技術に係る乗物用シートのネックレストを背面側から見た全体斜視図である。
【発明を実施するための形態】
【０００８】
以下、本発明を実施するための形態を、図面を用いて説明する。
（実施例１）
まず、本発明の実施例１を、図１〜１１を用いて説明する。なお、以下の説明にあたって、『乗物用シート』、『クッション体』の例として、『車両用シート１』、『ネックレスト４』を説明することとする。また、以下の説明にあたって、上、下、前、後、左、右とは、上述した図に記載した、上、下、前、後、左、右の方向、すなわち、車両（図示しない）に組み付けた状態の車両用シート１を基準にしたときの上、下、前、後、左、右の方向を示している。これらのことは、後述する実施例２においても同様である。
【０００９】
まず、図１を参照して、本発明の実施例１に係る車両用シート１の構成を説明する。この車両用シート１は、主として、シートクッション（図示しない）と、シートバック２とから構成されている。これらシートクッションとシートバック２とのうち、シートバック２について詳述していく。なお、シートクッションは、公知のものでよいため、その詳細な説明は省略することとする。
【００１０】
シートバック２は、シートバック本体３と、このシートバック本体３の上部に組み付けられるネックレスト４とから構成されている（図２〜３参照）。以下に、これらシートバック本体３とネックレスト４とを個別に説明していく。まず、シートバック本体３から説明していく。
【００１１】
シートバック本体３は、主として、その骨格を成すバックフレーム（図示しない）と、このバックフレームに対して包着状に組み付けられ軟質性の素材（例えば、ウレタンパッド）から成るシートバックパッド１２と、このシートバックパッド１２の表面をカバーリングするシートバックカバー１４とから構成されている。このシートバック２により、シートクッションに着座した着座者の背中部を支持できる。
【００１２】
このシートバックカバー１４の上部の内面には、硬質性の素材（例えば、樹脂プレートである取付板）から成る矩形状のバックプレート１６が縫い付けられている（図２参照）。ここで言うシートバックカバー１４の上部とは、シートバック２にネックレスト４が取り付けられる位置（シートバック２に背凭れした着座者の首部に相当する位置）のことである。このバックプレート１６には、その厚み方向に貫通するように矩形状の開口１６ａが形成されている。
【００１３】
なお、この開口１６ａの下縁は、後述するスライダ３４のフック３４ａ、３４ａが係合可能に形成されている。そのため、このシートバックカバー１４には、バックプレート１６の開口１６ａが露出するように矩形状の貫通孔１４ａが形成されている。また、シートバックカバー１４において、貫通孔１４ａの下側には、面ファスナの一方側の部材である面ファスナ１４ｂが縫い付けられている。なお、この面ファスナ１４ｂは、後述するスライダ３４の面ファスナ３４ｂに対して着装（取り付け）または脱着（取り外し）可能となっている。
【００１４】
一方、ネックレスト４も、主として、その骨格を成すネックレストフレーム（図示しない）と、このネックレストフレームに対して包着状に組み付けられ軟質性の素材（例えば、ウレタン）から成るネックレストパッド２２と、このネックレストパッドの表面をカバーリングするネックレストカバー２４とから構成されている。このネックレスト４により、シートバック２に背凭れした着座者の後頭部から首筋にかけての部位を支持できる。
【００１５】
このネックレストカバー２４の背面体は、図４から明らかなように、その背面ピース２４ａと、樹脂プレート２４ｂと、弾性部材であるラミウレタン２４ｃとが積層されて成る３重構造となっている（図４（Ａ）参照）。この３重構造を詳述すると、まず、芯材としての樹脂プレート２４ｂとラミウレタン２４ｃとを重ね合わせる。次に、この重ね合わせた状態で、これら樹脂プレート２４ｂとラミウレタン２４ｃとの各一辺を縫い付ける（図４（Ｂ）参照）。図４において、この縫い付け箇所をＮ１と記す。
【００１６】
次に、この縫い付けた２層の積層体（樹脂プレート２４ｂとラミウレタン２４ｃ）を背面ピース２４ａの内面に重ね合わせる。このとき、背面ピース２４ａとラミウレタン２４ｃとが向かい合うように重ね合わせる。次に、この重ね合わせた状態で、背面ピース２４ａの３辺の縁を内側に折り曲げる。最後に、この折り曲げた３片の縁と２層の積層体（樹脂プレート２４ｂとラミウレタン２４ｃ）とを縫い付ける（図４（Ｃ）参照）。図４において、この縫い付け箇所をＮ２、Ｎ３、Ｎ４と記す。
【００１７】
ネックレストカバー２４の背面側は、このような３重構造（背面ピース２４ａと、樹脂プレート２４ｂと、ラミウレタン２４ｃとが積層された構造）からなっている。このネックレスト４のネックレストカバー２４の背面ピース２４ａは、図４（Ｃ）から明らかなように、その下側が上側に向けて捲り可能となっている。
【００１８】
ここで、図５を参照して、このネックレスト４の組み立て作業を説明する。まず、図５（Ａ）に示すように、背面ピース２４ａを捲り上げる作業を行う。次に、スライドガイド３２の左右に形成されているガイド溝３２ａ、３２ａの上端にビスＢ、Ｂをそれぞれ留める作業を行う。このスライドガイド３２のガイド溝３２ａ、３２ａは、後述するスライダ３４の左右のガイド３４ｃ、３４ｃを嵌め合わせることができるように形成されている。これにより、スライドガイド３２とスライダ３４とを相対的にスライドさせることができる。
【００１９】
次に、捲り上げた状態のまま、両面テープ３６を介してネックレスト４の背面側にスライドガイド３２を組み付ける作業を行う（図５（Ｂ）参照）。次に、捲り上げた背面ピース２４ａを戻す作業を行う（図５（Ｃ）参照）。次に、スライドガイド３２のガイド溝３２ａ、３２ａにスライダ３４の左右のガイド３４ｃ、３４ｃを嵌め合わせる作業を行う。これにより、スライドガイド３２とスライダ３４との間に背面ピース２４ａと、樹脂プレート２４ｂと、ラミウレタン２４ｃとが挿し込まれることとなる。
【００２０】
なお、スライダ３４は、その左右のガイド３４ｃ、３４ｃをスライドガイド３２のガイド溝３２ａ、３２ａに嵌め合わせると、スライドガイド３２に対する隙間が狭くなるように形成されている。そのため、スライドガイド３２のガイド溝３２ａ、３２ａとスライダ３４の左右のガイド３４ｃ、３４ｃとの間でラミウレタン２４ｃによる弾発力が作用することとなる（図６参照）。
【００２１】
また、スライダ３４には、上述したバックプレート１６の開口１６ａの下縁に係合可能なフック３４ａ、３４ａが形成されている。また、スライダ３４には、面ファスナの他方側の部材である面ファスナ３４ｂが貼り付けられている。なお、この面ファスナ３４ｂと上述した面ファスナ１４ｂとは、スライダ３４のフック３４ａ、３４ａをバックプレート１６の開口１６ａの下縁に係合させると、互いの着装位置となるようにスライダ３４とシートバックカバー１４とに設けられている。
【００２２】
最後に、この嵌め合わせ状態のまま、スライドガイド３２のガイド溝３２ａ、３２ａの下端にビスＢ、Ｂをそれぞれ留める作業を行う（図５（Ｄ）参照）。これら４本のビスＢ留めにより、スライドガイド３２とスライダ３４との相対的なスライドの脱落を防止できる。すなわち、これら４本のビスＢが、スライダ３４に対するストッパの役割を果たすこととなる。ネックレスト４は、このようにして組み立てられる。
【００２３】
このようにして組み立てられたネックレスト４は、そのフック３４ａ、３４ａをバックプレート１６の開口１６ａの下縁に係合させると、面ファスナ１４ｂ、３４ｂが互いの着装位置に到達した状態となる。そのため、このフック３４ａ、３４ａの係合を行うと、これと同時に、面ファスナ１４ｂ、３４ｂの着装（取り付け）も行われ、シートバック本体３にネックレスト４が取り付けられる（図７〜９参照）。
【００２４】
このように取り付けられると、フック３４ａと面ファスナ１４ｂ、３４ｂとの２点取付となるため、取り付けたネックレスト４に安定感を持たせることができる。なお、これらフック３４ａ、３４ａと開口１６ａの下縁との係合を解消すると共に、面ファスナ１４ｂ、３４ｂを脱着（取り外し）すれば、ネックレスト４をシートバック本体３から取り外すことができる。
【００２５】
また、上述した説明から明らかなように、ネックレスト４は、スライドガイド３２とスライダ３４とを介してシートバック本体３に組み付けられている。そのため、スライダ３４に対してスライドガイド３２を作動させて、シートバック本体３に対してネックレスト４の高さ位置を高めに調節できるだけでなく（図１０参照）、逆に、低めにも調節できる（図１１参照）。
【００２６】
本発明の実施例１に係る車両用シート１は、上述したように構成されている。この構成によれば、シートバックカバー１４において、貫通孔１４ａの下側には、面ファスナの一方側の部材である面ファスナ１４ｂが縫い付けられている。また、スライダ３４には、面ファスナの他方側の部材である面ファスナ３４ｂが貼り付けられている。また、スライダ３４には、バックプレート１６の開口１６ａの下縁に係合可能なフック３４ａ、３４ａが形成されている。また、シートバックカバー１４の上部（シートバック２にネックレスト４が取り付けられる位置）の内面には、硬質性の素材（例えば、樹脂プレート）から成る矩形状のバックプレート１６が縫い付けられている。そして、この面ファスナ１４ｂ、３４ｂは、スライダ３４のフック３４ａ、３４ａをバックプレート１６の開口１６ａの下縁に係合させると、互いの着装位置となるようにスライダ３４とシートバックカバー１４とに設けられている。
【００２７】
そのため、スライダ３４のフック３４ａ、３４ａをバックプレート１６の開口１６ａの下縁に係合させると、面ファスナ１４ｂ、３４ｂが互いの着装位置に到達した状態となる。したがって、このフック３４ａ、３４ａの係合を行うと、これと同時に、面ファスナ１４ｂ、３４ｂの着装（取り付け）も行われ、シートバック本体３にネックレスト４が取り付けられる。このように取り付けられると、従来技術と同様に、面ファスナ１４ｂ、３４ｂを使用しているため、ネックレスト４の取り付けや取り外しを容易に行うことができる。また、このように取り付けられると、スライダ３４のフック３４ａ、３４ａがバックプレート１６の開口１６ａの下縁に係合している。したがって、取り付けたネックレスト４の高さ位置が決まるため、このネックレスト４の取り付けの位置合わせも容易に行うことができる。
【００２８】
（実施例２）
次に、本発明の実施例２を、図１２〜１５を用いて説明する。この実施例２の車両用シート１０１は、既に説明した実施例１の車両用シート１と比較すると、シートバック本体３にネックレスト４を取り付けるとき、スライダ３４のフック３４ａ、３４ａによるシートバックパッド１２の磨耗を防止できる形態である。なお、以下の説明にあたって、実施例１と同一または均等な構成の部材には、図面において同一符号を付すことで重複する説明は省略することとする。
【００２９】
図１２に示すように、シートバックカバー１４に縫い付けられているバックプレート１６には、矩形状の開口１６ａに替わって略コ字状の切欠溝１６ｂが形成されている。このコ字は、図１２からも明らかなように、その両自由端が上側を向くように形成されている。そのため、開口１６ａを成していた空間は、切欠溝１６ｂを除いて、上側から下側に向かって垂れ下がるベロ状の塞ぎ体１６ｃによって塞がれた格好となっている。
【００３０】
なお、この実施例２においても、ネックレスト４のフック３４ａ、３４ａをバックプレート１６の切欠溝１６ｂの下縁に係合させると、面ファスナ１４ｂ、３４ｂが互いの着装位置に到達した状態となる。そのため、このフック３４ａ、３４ａの係合を行うと、これと同時に、面ファスナ１４ｂ、３４ｂの着装（取り付け）も行われ、シートバック本体３にネックレスト４が取り付けられる（図１３〜１５参照）。
【００３１】
このとき、図１４に示すように、ネックレスト４のフック３４ａ、３４ａは、シートバックカバー１４と共にバックプレート１６の塞ぎ体１６ｃを撓ませながら、バックプレート１６の切欠溝１６ｂの下縁に係合していく。なお、このフック３４ａ、３４ａの係合が完了すると、撓んだ塞ぎ体１６ｃは、撓みの復元力によって撓み前の状態に戻される（図１５参照）。
【００３２】
本発明の実施例２に係る車両用シート１０１は、上述したように構成されている。この構成によれば、実施例１の車両用シート１と同様の作用効果を得ることができる。また、バックプレート１６には、矩形状の開口１６ａに替わって略コ字状の切欠溝１６ｂが形成されている。この略コ字は、図１２からも明らかなように、その両自由端が上側を向くように形成されている。これにより、開口１６ａを成していた空間は、切欠溝１６ｂを除いて、上側から下側に向かって垂れ下がるベロ状の塞ぎ体１６ｃによって塞がれた格好となっている。そのため、シートバック本体３にネックレスト４を取り付けるとき、ネックレスト４のフック３４ａ、３４ａは、シートバックカバー１４と共にバックプレート１６の塞ぎ体１６ｃを撓ませながら、バックプレート１６の切欠溝１６ｂの下縁に係合していく。したがって、実施例１と異なり、このフック３４ａ、３４ａが、シートバック２のシートバックパッド１２に干渉することがない。結果として、シートバックパッド１２の磨耗を防止できる。
【００３３】
上述した内容は、あくまでも本発明の一実施の形態に関するものであって、本発明が上記内容に限定されることを意味するものではない。
各実施例では、『乗物用シート』、『クッション体』の例として、『車両用シート１』、『ネックレスト４』を説明した。しかし、これに限定されるものでなく、『乗物用シート』は、各種の乗物のシート、例えば、『船舶のシート』、『飛行機のシート』、『鉄道車両のシート』等であっても構わない。これと同様に、『クッション体』は、各種のクッション、例えば、『ヘッドレスト』等であっても構わない。
【００３４】
また、各実施例では、フック３４ａ、３４ａはスライダ３４に形成され、開口１６ａはシートバックカバー１４に縫い付けられたバックプレート１６に形成される形態を説明した。しかし、これに限定されるものでなく、これとは逆に、開口１６ａはスライダ３４に形成され、フック３４ａ、３４ａはシートバックカバー１４に縫い付けられたバックプレート１６に形成されても構わない。
【符号の説明】
【００３５】
１      車両用シート（乗物用シート）
３      シートバック本体
４      ネックレスト（クッション体）
１４ｂ  面ファスナ（一方側ファスナ部材）
１６    バックプレート（取付板）
１６ａ  開口
１６ｂ  切欠溝
３４ａ  フック
３４ｂ  面ファスナ（他方側ファスナ部材）
【図１】
2015145192.tif 000003
【図２】
2015145192.tif 000004
【図３】
2015145192.tif 000005
【図４】
2015145192.tif 000006
【図５】
2015145192.tif 000007
【図６】
2015145192.tif 000008
【図７】
2015145192.tif 000009
【図８】
2015145192.tif 000010
【図９】
2015145192.tif 000011
【図１０】
2015145192.tif 000012
【図１１】
2015145192.tif 000013
【図１２】
2015145192.tif 000014
【図１３】
2015145192.tif 000015
【図１４】
2015145192.tif 000016
【図１５】
2015145192.tif 000017
【図１６】
2015145192.tif 000018